(57)【特許請求の範囲】
【請求項１】
受光素子の受光量に応じてスイッチング素子をオンオフさせ、照明器具等の負荷を点灯又は消灯する自動点滅器本体を有する自動点滅器において、
前記自動点滅器本体を、前記受光素子が配設された第１ユニットとそれ以外の部品が配設された第２ユニットとで構成し、前記第１ユニットを前記第２ユニットに対して着脱可能にし、
前記第１ユニットを前記第２ユニットに対して前記負荷から遠ざかる側に取り付け、また、前記第２ユニットの底面に取付金具を取り付け、前記第１ユニット又は前記第２ユニットに前記負荷から発する光を遮る遮光フードを設けたことを特徴とする自動点滅器。
【請求項２】
前記遮光フードは、前記第１ユニットに一体に設けられていることを特徴とする請求項１記載の自動点滅器。
【請求項３】
前記第１ユニットは前記第２ユニットの下側に位置するように取り付けられ、前記第１ユニットと前記第２ユニットとの接合部分にパッキンを介在させ、前記遮光フードを、前記第２ユニットに取り付けたことを特徴とする請求項１記載の自動点滅器。
【発明の詳細な説明】
【技術分野】
【０００１】
本発明は、街路灯などに取り付けられ、周囲の光量に応じて照明負荷への電源経路を自動的に開閉する（暗くなると照明負荷を点灯させ、明るくなると照明負荷を消灯させる）自動点滅器に関する。
【背景技術】
【０００２】
例えば、公衆街路灯には、周囲が暗くなると自動的に点灯し、明るくなると消灯する自動点滅器が取り付けられている。自動点滅器を内臓した街路灯もあるが、高額であることから、自動点滅器単体を街路灯の柱体等に取り付けるようにしたものが多い。
【０００３】
このような自動点滅器としては、様々な種類のものが存在するが（特許文献１及び２など参照）、例えば、図１２（ａ）に示される１００Ｖ仕様の電子式自動点滅器１にあっては、受光素子やスイッチング素子等が配設されると共に電源２や負荷３に接続される３本のリード線４が取り付けられた図示しない基板を収容カバー５に収容して構成されている。
【０００４】
この自動点滅器１は、例えば、図１２（ｂ）に示されるように、リード線４が接続される３つの端子（端子Ｔ１：黒のリード線が接続される端子、端子Ｔ２：白のリード線が接続される端子、端子Ｔ３：赤のリード線が接続される端子）を備えているもので、端子Ｔ１及びＴ２は交流電源２を接続するための端子であり、また端子Ｔ２及びＴ３は照明負荷３を接続する端子である。
【０００５】
端子Ｔ１には、雑音発生防止用のコイル（Ｌ）を介してスイッチング素子を構成するトライアック（ＴＲＩＡＣ）の一端が接続され、トライアック（ＴＲＩＡＣ）の他端は、端子Ｔ３に接続されている。端子Ｔ１とＴ２との間には、サージ吸収用のバリスタ（ＴＮＲ）が接続されると共に、分圧用コンデンサＣ１を介してＣｄｓセル等の受光素子（Ｃｄｓ）が接続されている。トライアック（ＴＲＩＡＣ）のゲート端子は、リードリレー（ＲＲＹ）のリードスイッチ（ＲＳ）の一端に接続され、このリードスイッチ（ＲＳ）の他端は、トライアック（ＴＲＩＡＣ）のゲート励起電流の限流用抵抗器Ｒ２を介して端子Ｔ３に接続されると共にＲ２及び点滅感度比（消灯照度／点灯照度）を調整するコンデンサＣ２を介して前記コンデンサＣ１と受光素子（Ｃｄｓ）との間に接続されている。また、受光素子（Ｃｄｓ）の両端は、リードリレー（ＲＲＹ）の感度調整用抵抗器Ｒ１を介して、交流を全波整流するダイオードブリッジからなる整流器（ＤＢ）の交流入力端子間に接続されている。また、整流器（ＤＢ）の直流出力端子間には、整流された電流を平滑するコンデンサＣ３と整流平滑された電流が流れるリードリレー（ＲＲＹ）のリレーコイル（ＲＣ）とが並列接続されている。尚、Ｃ４はトライアック（ＴＲＩＡＣ）からの発生雑音を防止するためにコイル（Ｌ）とトラアック（ＴＲＩＡＣ）に対して並列に接続されたコンデンサである。
【０００６】
このような自動点滅器の構成において、昼間は太陽光があたるので、受光素子（Ｃｄｓ）の内部抵抗は十分低くなり、コンデンサＣ１及びＣ２を流れる電流の殆どは受光素子（Ｃｄｓ）を流れる。したがって、リードリレー（ＲＲＹ）のリレーコイル（ＲＣ）に流れる電流は殆ど無くなり、リードスイッチ（ＲＳ）は動作せずにオフのままで、トライアック（ＴＲＩＡＣ）もオフ状態で電源電圧の殆どはＣ１、Ｃ２の並列回路に加わり、負荷３は消灯した状態となる。
【０００７】
これに対して、太陽光が少なくなる夕方になると、照度の低下と共に受光素子（Ｃｄｓ）の抵抗は徐々に高くなり、コンデンサＣ１及びＣ２を流れる電流は整流器で直流化され、コンデンサＣ３で平滑されてリードリレー（ＲＲＹ）のリレーコイル（ＲＣ）に流れる。したがって、リードスイッチ（ＲＳ）がオンとなり、トライアック（ＴＲＩＡＣ）のゲートを励起してトライアック（ＴＲＩＡＣ）がオンとなり、負荷３に電流が流れて点灯する状態となる。
【特許文献１】特開２００１−４４８１６号公報
【特許文献２】特開２０００−１３３４７２号公報
【発明の開示】
【発明が解決しようとする課題】
【０００８】
ところで、上述のような構成の自動点滅器においては、不良となった場合に、夜間での街路灯の点灯状態を保つために、また、蛍光灯の消耗防止や省エネ等の観点から取替えを行っている。この際、自動点滅器の取替えは、引込線・街路灯側の電線を切断して行うようにしているため、数回の取替えで電線が短くなってしまい、また、自動点滅器を取り替える都度に結線し直さなければならないものであった。
【０００９】
また、自動点滅器の故障は、その大半がセンサ部分の故障であるが、従来のものにあっては、構造上、自動点滅器の全体を取り替える必要があったため、取替えコストが高くなり、また、廃棄物が多くなる不都合があった。
さらに、上述の自動点滅器の取替えにあたっては、取替え作業中に充電部が露出するため、感電や短絡の恐れがある。
【００１０】
本発明は、上述した点に鑑みてなされたものであり、電線を切断・接続することなく自動点滅器の取替えを可能とし、取替え部分を減らすことで廃棄物を少なくし、また、充電部を取扱う作業を不要として電気災害を防止することが可能な自動点滅器を提供することを主たる課題としている。
【課題を解決するための手段】
【００１１】
上記課題を達成するために、この発明に係る自動点滅器は、受光素子の受光量に応じてスイッチング素子をオンオフさせ、照明器具等の負荷を点灯又は消灯する自動点滅器本体を有する自動点滅器において、前記自動点滅器本体を、前記受光素子が配設された第１ユニットとそれ以外の部品が配設された第２ユニットとで構成し、前記第１ユニットを前記第２ユニットに対して着脱可能にし、前記第１ユニットを前記第２ユニットに対して前記負荷から遠ざかる側に取り付け、また、前記第２ユニットの底面に取付金具を取り付け、前記第１ユニット又は前記第２ユニットに前記負荷から発する光を遮る遮光フードを設けたことを特徴としている。
【００１２】
したがって、自動点滅器が故障した場合、その大半がセンサ部分の故障に起因していることから、受光素子が配設された第１ユニットを第２ユニットから離脱させて交換すれば、自動点滅器の交換作業が終了するので、電線の切断・接続作業が不要となる。また、交換する部分も第１ユニットのみの交換で済み、また、ユニット単位での脱着作業で交換作業が完了するので、充電部を取り扱う作業が不要となる。
【００１３】
また、上述した自動点滅器は、第１ユニットを第２ユニットに対して負荷から遠ざかる側に取り付け、前記第１ユニット又は前記第２ユニットに前記負荷から発する光を遮る遮光フードが設けられているので、負荷からの光が受光部に当たりにくくなる。例えば、自動点滅器本体を照明器具よりも下方へ取り付ける場合には、第１ユニットを第２ユニットの下側に取り付けると共に、第１ユニット又は第２ユニットに照明器具からの光を遮る遮光フードを設けて上方からの光を効果的に遮るようにするとよい。この遮光フードは、必要に応じて設けるようにすればよく、第１ユニット又は第２ユニットに対して着脱可能にするとよい。
【００１４】
前記遮光フードは、第１ユニットに一体に設けるようにしてもよい。このような構成によれば、遮光フードを一体形成した第１ユニットを予め用意しておき、第１ユニットを遮光フード付きのものに交換することが可能となる。このため、街路灯の下方に自動点滅器を配置するような場合でも、効果的に街路灯からの光を遮光することが可能となり、自動点滅器を任意の位置に取り付けることが可能となり、また、自動点滅器と光源との位置関係により遮光フードが必要となる場合にのみ自動点滅器本体に取り付けることが可能となる。
【００１５】
また、前記第１ユニットは前記第２ユニットの下側に位置するように取り付け、前記第１ユニットと前記第２ユニットとの接合部分にパッキンを介在させ、前記遮光フードを、前記第２ユニット（前記パッキンの上方）に取り付けるようにしてもよい。このような構成によれば、パッキンの上方に遮光フードが設けられるので、パッキンに破損や劣化が生じても、第１ユニットと第２ユニットとの間から雨水が浸入することを防ぐことが可能となる
【発明の効果】
【００１６】
以上述べたように、本発明によれば、自動点滅器本体を、受光素子が配設された第１ユニットとそれ以外の部品が配設された第２ユニットとで構成し、これらユットを着脱可能に構成したので、故障しやすい受光素子が故障した場合には、第１ユニットを第２ユニットから離脱させてこの第１ユニットのみを取り替えればよい。このため、電線の切断・接続作業が不要となり、電線が短くなることがなくなると共に、取替え作業が容易となる。
また、第１ユニットのみの交換で対応できるため、取替え部分を小さくして廃棄物を少なくすることができ、また、ユニット単位の脱着作業で交換作業が完了するので、充電部を取り扱う作業が不要となり、電気災害を防止することが可能となる。
【００１７】
さらに、第１ユニットを第２ユニットに対して負荷から遠ざかる側に取り付け、第１ユニット又は第２ユニットに負荷から発する光を遮る遮光フードを設けることで、負荷からの光を効果的に遮ることが可能となり、また、遮光フードを着脱可能に取り付けることで、自動点滅器と光源との位置関係により遮光フードが必要となるときのみ取り付けることが可能となる。また、取付金具を第１ユニットの底面に取り付けるようにしたので、自動点滅器本体に遮光フードを設けることが可能となる。
【００１８】
特に、遮光フードを第１ユニットに一体に設けるようにすることで、第２ユニットに第１ユニットを着脱させることで遮光フードも着脱させることが可能となるので、
第１ユニットを遮光フード付きのものにすることで、必要となる場合にのみ自動点滅器本体に遮光フードを取り付けることが可能となる。
【００１９】
また、第１ユニットを第２ユニットの下側に位置するように取り付け、第１ユニットと第２ユニットとの接合部分にパッキンを介在させ、遮光フードを、第２ユニット（パッキンの上方）に取り付ける構成とすることで、パッキンに破損や劣化が生じても、第１ユニットと第２ユニットとの間から雨水が侵入することがなくなる。
【発明を実施するための最良の形態】
【００２０】
以下、本発明の最良の実施形態を添付図面を参照しながら説明する。
【００２１】
図１において、本発明に係る自動点滅器１の回路構成が示されている。この回路構成は、図１２（ｂ）で示す従来の回路構成と同様であるので、同一箇所に同一番号を付して説明を省略するが、本発明に係る自動点滅器１が従来の構成と異なる点は、破線で示す受光素子（Ｃｄｓ）の部分が着脱可能なユニットとして構成されている点である。即ち、自動点滅器１は、図２に示されるように、受光素子（Ｃｄｓ）が収容された第１ユニット１１とそれ以外の部品が収容された第２ユニット１２とによって構成された自動点滅器本体１０を有するもので、これら第１ユニット１１と第２ユニット１２とは、例えば、Ｏ−リングからなるパッキン１３を介して互いに着脱可能に取り付けられている。
【００２２】
第１ユニット１１は、その全体を太陽光が入射可能な合成樹脂等によって構成しても、受光素子（Ｃｄｓ）と対峙する部位に受光カバーを装着した採光窓を設け、太陽光を受光カバーを通して受光素子に入射するようにしてもよい。
【００２３】
第２ユニット１２には、受光素子以外の部品が配設されると共にリード線４が接続された図示しない基盤が収容されており、街路灯の柱体等へ固定するための取付金具１４が側面に設けられ、また、基盤に接続されるリード線４が底面（第１ユニット１１との着脱面とは反対側の端面）から引き出されている。
【００２４】
第１ユニット１１を第２ユニット１２に対して着脱させる構成は、いろいろな態様が可能であるが、例えば、図２（ｂ）に示されるように、第１ユニット１１の着脱面（第２ユニット１２にパッキン１３を介して当接する端面で図中の下端面）に受光素子（Ｃｄｓ）と電気的に接続された一対の引掛刃１５を設け、第２ユニット１２の着脱面（第１ユニット１１にパッキン１３を介して当接する端面で図中の上端面）に前記引掛刃１５を挿入してから回転させることでこれを係止する一対の円弧状の係止孔１６が周方向に沿って設けられ、第１ユニット１１を引掛プラグとして構成し、第２ユニット１２を引掛ローゼットとして構成するようにしてもよい。
【００２５】
係止孔１６は、一端側に形成された広幅部１６ａと他端側に形成された狭幅部１６ｂとを備え、狭幅部１６ｂの奥にスイッチ回路に接続された端子（Ｔ４、Ｔ５）が配設されており、第１ユニット１１の引掛刃１５を第２ユニット１２の係止孔１６に挿入して狭幅部１６ｂの終端まで回転させることで、第１ユニット１１に収容された受光素子（Ｃｄｓ）が第２ユニット１２の端子（Ｔ４、Ｔ５）に接触してスイッチ回路に電気的に接続されるようになっている。また、この状態から第１ユニット１１を回転させて引掛刃１５を係止孔１６から取り外すと、受光素子（Ｃｄｓ）とスイッチ回路との接続状態が解除され、受光素子（Ｃｄｓ）が電気的及び物理的に分離されるようになっている。
【００２６】
尚、引掛刃１５と係止孔１６の関係は逆にしても差し支えなく、第２ユニット１２の着脱面（第１ユニット１１にパッキン１３を介して当接する端面）に引掛刃を設け、第１ユニット１１の着脱面（第２ユニット１２にパッキン１３を介して当接する端面）に引掛刃を係止する係止孔を設けるようにしてもよい。
【００２７】
以上の構成において、自動点滅器１の受光素子（Ｃｄｓ）が故障した場合には、受光素子（Ｃｄｓ）が配設された第１ユニット１１を第２ユニット１２に対して相対的に回転させることで、引掛刃１５を係止孔１６から外して第１ユニット１１を第２ユニット１２から取り外し、正常動作が確認されている別の第１ユニット１１を第２ユニット１２に取り付ければ交換作業が完了するので、電線（引込線や街路灯側の電線）の切断・接続作業が不要となる。このため、電線が短くなる不都合がなくなると共に、交換作業を容易且つ迅速に行うことが可能となる。
【００２８】
また、交換作業は、第１ユニット１１のみの交換で対応できるため、廃棄物を少なくすることができ、また、ユニット単位の脱着によって交換作業が完了するので、充電部を取り扱う作業が不要となり、電気災害を防止することが可能となる。
【００２９】
第１ユニット１１と第２ユニット１２を着脱させる構成は、上述の例に限定されるものではなく、図３に示されるように、パッチン錠により着脱させるようにしても、図４に示されるように、第１ユニット１１と第２ユニット１２とを羅合させるようにしてもよい。
【００３０】
このうち、図３に示す構成は、第１ユニット１１の着脱面（第２ユニット１２にパッキン１３を介して当接する端面で、下蓋１１ａによって構成されている）に受光素子（Ｃｄｓ）と電気的に接続された導電性素材で構成される一対のボルト２０を設け、第２ユニット１２の着脱面（第１ユニット１１にパッキン１３を介して当接する端面で、上蓋１２ａによって構成されている）に前記ボルト２０の頭部２０ａが接触する凹み端子２１設け、ボルト２０の頭部２０ａをこの凹み端子２１に接触させることで電気的に接続させるようにしている。
【００３１】
ボルト２０は、第１ユニット１１の下蓋１１ａに形成された通孔２２に圧縮ばね２３を下蓋１１ａとボルト２０の頭部２０ａとの間に介在させた状態で下方から挿入し、通孔２２から上方へ突出したボルト２０のネジ部２０ｂに対をなすナット２４，２５を羅合させて下蓋１１ａに取り付けられているもので、この対をなすナット３４，３５で受光素子Ｃｄｓのリード線に接続されたリング端子２６を挟み込み、これによりボルト２０と受光素子Ｃｄｓとを電気的に接続するようにしている。したがって、ボルト２０は、圧縮ばね２３により常時下方へ付勢され、圧縮ばね２３の圧縮代分だけばね力に抗して軸方向へ変位するようになっている。
【００３２】
第２ユニット１２の上蓋１２ａに形成された凹み端子２１は、図示しないスイッチ回路に接続された端子（Ｔ４、Ｔ５，図１を参照）を構成するもので、この例においては、ボルト２０の頭部２０ａを嵌入可能とする凹状に形成されており、この凹状の凹み端子２１にボルト２０の頭部２０ａを嵌合させることで、ボルト２０の頭部２０ａと凹み端子２１との位置決めを確保しつつ互いの電気的な接続を確保するようにしている。
尚、第１ユニット１１の下蓋１１ａと２ユニット１２の上蓋１２ａとは接着剤等により、それぞれ対応するユニットケースに固定されている。
【００３３】
また、第２ユニット１２の側面には、フック部２７が突設され、第１ユニット１１の側面には、前記フック部２７に係脱自在に係合する掛止機構を備えたクランプ２８が取り付けられている。これらフック部２７とクランプ２８は、ボルト２０の頭部２０ａを凹み端子２１に嵌入させた状態で対応した位置関係となり、クランク２８の先端をフック部２７に掛止してクランプ２８をユニットケース側に移動させることでロック状態が形成され、第１ユニット１１と第２ユニット１２とを確実に固定するようになっている。
【００３４】
このような構成においても、自動点滅器１の受光素子（Ｃｄｓ）が故障した場合には、クランプ２８をフック部２７から外して受光素子（Ｃｄｓ）が配設された第１ユニット１１を第２ユニット１２から取り外し、正常動作が確認されている別の第１ユニット１１をボルト２０の頭部２０ａが凹み端子２１に嵌合するように第２ユニット１２に組み付け、クランプ２８をフック部２７に掛止してロック状態を形成すれば、交換作業を完了させることが可能となり、前述した効果と同様の効果を得ることが可能となる。
【００３５】
また、図４に示す構成は、第１ユニット１１の下蓋１１ａに受光素子（Ｃｄｓ）と電気的に接続された導電性素材で構成された一対のボルト２０を設け、第２ユニット１２の上蓋１２ａに前記ボルト２０の頭部２０ａが接触する凹み端子２１設け、ボルト２０の頭部２０ａをこの凹み端子２１に嵌合させることで電気的に接続させるようにしている点で図３で示す構成例と同様であるが、第１ユニット１１と第２ユニット１２とは羅合させて組み付けられており（この例では、第１ユニット１１の内周面に雌ねじ１１ｂを、第２ユニット１２の先端部に第１ユニット１１の雌ねじ１１ｂと羅合する雄ねじ１２ｂを形成している）、第１ユニット１１と第２ユニット１２との羅合部分にパッキン１３を介在させることで（第２ユニット１２の雄ねじ１２ｂの基端部周囲にパッキン１３を配設して軸方向で挟み込むことで）、第１ユニット１１を終端位置近傍までネジ込んだ際に、パッキン１３の弾力を利用して第１ユニット１１のボルト２０の頭部２０ａが第２ユニット１２の凹み端子２１に嵌合する手応えを与え、この嵌合した状態を形成した時点で締め付けを完了させることができるようにしている。尚、この構成において、図３に示す構成と同様の部分は、同一箇所は同一符号を付して説明を省略する。
【００３６】
このような構成においても、自動点滅器１の受光素子（Ｃｄｓ）が故障した場合には、第１ユニット１１を第２ユニット１２に対して相対的に回転させることで羅合状態を解除し、第１ユニット１１を第２ユニット１２から取り外し、正常動作が確認されている別の第１ユニット１１を第２ユニット１２に対してボルト２０の頭部２０ａが凹み端子２１に嵌合する手応えがあるまで羅合させれば、交換作業を完了させることが可能となり、前述した効果と同様の効果を得ることが可能となる。
【００３７】
以上の構成は、取付金具１４が第２ユニット１２の側面に取り付けられている構成であるが、自動点滅器本体１０に遮光フード２９を設けるために、図５（ａ）に示されるように、取付金具１４を第２ユニット１２の底面に取り付けるようにしてもよい。
【００３８】
このような構成においては、例えば街路灯の光源よりも下方に自動点滅器１を配置する場合に、第１ユニット１１を第２ユニット１２の下側に位置するように上下を逆にし、図５（ｂ）に示されるように、第２ユニット１２に遮光フード２９を取付け、第１ユニット１１の上方を覆うようにして街路灯からの光が第１ユニット１１に照射されるのを遮るようにしてもよい。
【００３９】
このような遮光フード２９は、いろいろなバリエーションが考えられるが、上述したように第２ユニット１２に着脱可能に取り付けられるものであっても、第２ユニット１２と一体に形成するようにしてもよい。また、第１ユニット１１の上部に設けるようにしてもよく、例えば、遮光フード２９を一体形成した第１ユニット１１を予め用意しておき、図５（ａ）の自動点滅器１を上下逆にして設置する際に、図５（ｃ）に示されるように、第１ユニット１１を遮光フード付きのものに交換するようにしてもよい。
【００４０】
このような構成によれば、街路灯の下方に自動点滅器を配置するような場合でも、効果的に街路灯からの光を遮光することが可能となり、自動点滅器１を任意の位置に取り付けることが可能となる。また、自動点滅器１と光源との位置関係により遮光フード２９が必要となる場合にのみ自動点滅器本体１０に取り付けることが可能となる。特に図５（ｂ）で示される構成によれば、パッキン１３の上方に遮光フード２９が設けられるので、パッキン１３に破損や劣化が生じても、第１ユニット１１と第２ユニット１２との間から雨水が浸入することを防ぐことが可能となる。
【００４１】
以上の構成においては、遮光フードを設けることで街路灯等の光源からの光を遮光する構成例を示したが、図６乃至９において、光を遮光する他の構成例が示されている。
これら例においては、自動点滅器本体１０を上下一対のカバー部材によって構成した収容カバー３０に収容して遮光するようにしたもので、図６に示される構成においては、自動点滅器本体１０の第１ユニット１１の側壁先端部にネジ溝３１を形成し、収容カバー３０を、第１ユニット１１のネジ溝３１と螺合することでこの第１ユニット１１に着脱可能に取り付けられる第１カバー部材３２と、この第１カバー部材３２の開口端側の外周面に形成されたねじ溝３３と羅合することでこの第１カバー部材３２に着脱可能に取り付けられる第２カバー部材３４とによって構成されている。
【００４２】
第１カバー部材３２は、太陽光に比べて街路灯の光を遮光しやすい材質、即ち、街路灯から発する光を遮光するが自然光の透光を許容する材質（例えば、アクリル樹脂等）で構成され、側壁の一部を蛇腹状に形成して、軸方向寸法を可変し得るように構成された伸縮部３５を備えている。また、第２カバー部材３４が羅合する開口端部には、開口端から軸方向に延設されて、取り付け金具１４の挿通を許容する切欠き部３６が周方向に間隔を置いて複数形成されている。
【００４３】
このような収容カバー３０を自動点滅器本体１０に取り付ける場合には、第１カバー部材３２の伸縮部３５を縮めて軸方向寸法を短くしておき、この状態で第１カバー部材３２を自動点滅器本体１０の第１ユニット１１を覆うように先端側から（図中、上方から）被せて先端部に形成されたねじ溝３１に螺合させる（図７（ａ））。これにより、第１カバー部材３２は、その開口端部が取付金具１４に干渉することなく第１ユニット１１に取り付けられる。その後、第１カバー部材３２の周方向の位置を調節していずれかの切欠き部３６の位置と取付金具１４の位置とを整合させ、その状態で伸縮部３５を伸長させて（図中、下方に伸ばして）切欠き部３６に取付金具１４を挿通させる。これにより第１カバー部材３２の開口端部に形成されたねじ溝３３が取付金具１４よりも第２ユニット１２の底面側へ突出する（図７（ｂ））。そして、第２カバー部材３４を第２ユニット１２を覆うように先端側から（図中、下方から）被せて第１カバー部材３２のねじ溝３３に羅合させれば、収容カバー３０の取り付け作業は完了する（図７（ｃ））。
【００４４】
このような収容カバー３０を用いれば、街路灯の下方に自動点滅器を配設するような場合でも、自動点滅器本体１０を上下逆にする必要がなくなり、街路灯からの光で誤動作することがなくなる。また、収容カバー３０を取り付けた状態から、第２カバー部材３４を回して第１カバー部材３２から取り外し、その後、第１カバー部材３２を回して第１ユニット１１から取り外せば、第１ユニット１１を第２ユニット１２に対して脱着できる状態となるので、第１ユニット１１の交換作業を阻害することもない。
【００４５】
これに対して、図８に示される構成においては、自動点滅器本体１０の第１ユニット１１の側壁先端部にネジ溝３１を形成すると共に、第２ユニット１２の側壁先端部にネジ溝３７を形成し、収容カバー３０を、第１ユニット１１のネジ溝３１と螺合することでこの第１ユニット１１に着脱可能に取り付けられる第１カバー部材３８と、第２ユニット１２のネジ溝３７と螺合することでこの第２ユニット１２に着脱可能に取り付けられる第２カバー部材３９とによって構成されている。また、第１カバー部材３８は、側壁の一部を蛇腹状に形成して、軸方向寸法を可変し得るように構成された伸縮部３５を備えている。
【００４６】
このような収容カバー３０を自動点滅器本体１０に取り付ける場合には、第１カバー部材３８の伸縮部３５を縮めて軸方向寸法を短くしておき、この状態で第１カバー部材３８を自動点滅器本体１０の第１ユニット１１を覆うように先端側から（図中、上方から）被せて先端部に形成されたねじ溝３１に螺合させる（図９（ａ））。また、第２カバー部材３９を自動点滅器本体１０の第２ユニット１２を覆うように先端側から（図中、下方から）被せて先端部に形成されたねじ溝３７に螺合させる（図９（ｂ））。そして、この状態で、第１カバー部材３８の伸縮部３５を伸長させて（図中、下方に伸ばして）、第１カバー部材３８と第２カバー部材３９との軸方向の間隔を調整し、受光素子（Ｃｄｓ）の受光量を調整すれば、収容カバー３０の取り付け作業は完了する（図９（ｃ））。
【００４７】
このような収容カバー３０の構成によれば、街路灯の下方に自動点滅器を配設するような場合でも、自動点滅器本体１０を上下逆にする必要がなくなり、街路灯からの光で誤動作することがなくなる。また、第１カバー部材３８の側壁を軸方向に伸縮させることで第１カバー部材３８と第２カバー部材３９との間隔を調整して受光素子の受光量を調整することが可能となるので、どのような場所に取り付けても感度調整が可能となり、さらに、第１カバー部材３２を回して第１ユニット１１から取り外せば、第１ユニット１１を第２ユニット１２に対して脱着できる状態となるので、第１ユニット１１の交換作業を阻害することもない。
【００４８】
図１０及び図１１において、光を遮光する更に他の構成例が示されている。この例では、自動点滅器本体１０にフード４０を設け、このフード４０で第１ユニット１１を覆うようにしている。このフード４０は、負荷から発する光を遮光すると共に自然光の透光を許容する部材（例えば、アクリル樹脂等）によって構成され、自動点滅器本体に対して着脱自在に取り付けられている。
【００４９】
より具体的に説明すると、図１０に示される構成においては、フード４０を下端が開放されたカップ状に形成し、第１ユニット１１の上端面に形成されたネジ溝４１にフード４０の上端面に形成された通孔４２を介して挿入されるネジ４３を羅合させてネジ留めできるようになっている。また、フード４０の開口端部には、開口端から軸方向に延設されて、取り付け金具１４の挿通を許容する切欠き部４４が周方向に間隔を置いて複数形成されている。
【００５０】
このようなフード４０を自動点滅器本体１０に取り付ける場合には、フード４０を自動点滅器本体１０の第１ユニット１１を覆うように先端側から（図中、上方から）被せ、フード４０の周方向の位置を調節していずれかの切欠き部４４の位置と取付金具１４の位置とを整合させ、その状態でフード４０を下ろして切欠き部４４に取付金具１４を挿通させ、また、第１ユニット１１のねじ溝４１とフード４０の通孔４２とを整合させ、その状態でネジ４３を通孔４２を挿通させてねじ溝４１に羅合させれば、フード４０の取り付け作業は完了する。
【００５１】
このような構成によれば、第１ユニット１１を覆うように自然光の透光を許容するフード４０が着脱可能に取り付けられているので、受光素子の受光量を自動点滅器本体１０に取り付けられるフード４０を取り替えることによって調節することができ、また、第１ユニット１１の交換時にフード４０を容易に自動点滅器本体１０から取り外すことが可能となるので、第１ユニット１１の取替え作業を阻害することもなくなる。
【００５２】
また、図１１に示される構成は、フード４０を下端が開放されたカップ状に形成した点は前記構成例と同様であるが、この例においては、フード４０の開口周縁部に係止爪４５を設け、自動点滅器本体１０の第２ユニット１２の側壁上端部に前記係止爪４５と着脱自在に係止する切り欠き４６を設けるようにしている。
【００５３】
このようなフード４０を自動点滅器本体１０に取り付ける場合には、フード４０を自動点滅器本体１０の第１ユニット１１を覆うように先端側から（図中、上方から）被せ、切り欠き４６の位置と係止爪４５の位置とを周方向で一致させつつフード４０を下げていけば、係止爪４５が切り欠き４６に係止し、フード４０の自動点滅器本体１０への装着（フードの取り付け作業）が完了する。
【００５４】
このような構成においても、第１ユニット１１を覆うように自然光の透光を許容するフード４０が着脱可能に取り付けられているので、受光素子の受光量を自動点滅器本体１０に取り付けられるフード４０を取り替えることによって調節することができ、また、第１ユニット１１の交換時にフード４０を容易に自動点滅器本体１０から取り外すことが可能となるので、第１ユニット１１の取替え作業を阻害することもなくなる。
【００５５】
尚、上述においては、１００Ｖ仕様の電子式自動点滅器について示したが、他の電子式自動点滅器（例えば、２００Ｖ仕様の電子式自動点滅器）においても同様の構成を採用することが可能である。
【図面の簡単な説明】
【００５６】
【図１】図１は、本発明にかかる自動点滅器の回路構成例を示す回路図である。
【図２】図２は、本発明にかかる自動点滅器の自動点滅器本体の構成例を示す斜視図であり、自動点滅器本体を受光素子の部分を収容する第１ユニットとそれ以外の部品を収容する第２ユニットとで構成した例を示す図である。
【図３】図３は、本発明にかかる自動点滅器本体の他の構成例を示す斜視図であり、（ａ）は第１ユニットと第２ユニットとを分離させた状態を示す図であり、（ｂ）は第１ユニットと第２ユニットのそれぞれを分解した斜視図である。
【図４】図４は、本発明にかかる自動点滅器本体の更に他の構成例を示す斜視図であり、（ａ）は第１ユニットと第２ユニットとを分離させた状態を示す図であり、（ｂ）は第１ユニットと第２ユニットのそれぞれを分解した斜視図である。
【図５】図５は、自動点滅器本体の他の構成例を示す斜視図であり、（ａ）は第１ユニットを第２ユニットの上側に配置させた状態を示し、（ｂ）は第１ユニットを第２ユニットの下側に配置し、遮光フードを第２ユニットに取り付けた状態を示し、（ｃ）は第１ユニットを第２ユニットの下側に配置し、第１ユニットを遮光フードが一体に形成されものに付け替えた状態を示す。
【図６】図６は、自動点滅器本体とこれを収容する収容カバーとの例を示す斜視図であり、（ａ）は自動点滅器本体を示す斜視図、（ｂ）は収容カバー（第１ユニットに取り付けられる伸縮可能な第１カバー部材とこれに取り付けられる第２カバー部材）を示す。
【図７】図７は、図６（ａ）で示す自動点滅器本体に図６（ｂ）で示す収容カバーを取り付ける手順を示す斜視図である。
【図８】図８は、自動点滅器本体とこれを収容する収容カバーとの他の例を示す斜視図であり、（ａ）は自動点滅器本体を示す斜視図、（ｂ）は収容カバー（第１ユニットに取り付けられる伸縮可能な第１カバー部材と第２ユニットに取り付けられる第２カバー部材）を示す。
【図９】図９は、図８（ａ）で示す自動点滅器本体に図８（ｂ）で示す収容カバーを取り付ける手順を示す斜視図である。
【図１０】図１０は、自動点滅器本体とこれに取り付けられるフードとの構成例を示す斜視図である。
【図１１】図１１は、自動点滅器本体とこれに取り付けられるフードとの他の構成例を示す斜視図である。
【図１２】図１２は、従来の自動点滅器を示す図であり、（ａ）は自動点滅器の使用状態を示す概略構成図であり、（ｂ）は回路構成例を示す回路図である。
【符号の説明】
【００５７】
１ 自動点滅器
３ 負荷
１０ 自動点滅器本体
１１ 第１ユニット
１２ 第２ユニット
２０ 遮光フード
３０ 収容カバー
３２，３８ 第１カバー部材
３４，３９ 第２カバー部材
３５ 伸縮部
４０ フード
Ｃｄｓ 受光素子
ＴＲＩＡＣ トライアック
【図１】
0005063246.tif 000002
【図２】
0005063246.tif 000003
【図３】
0005063246.tif 000004
【図４】
0005063246.tif 000005
【図５】
0005063246.tif 000006
【図６】
0005063246.tif 000007
【図７】
0005063246.tif 000008
【図８】
0005063246.tif 000009
【図９】
0005063246.tif 000010
【図１０】
0005063246.tif 000011
【図１１】
0005063246.tif 000012
【図１２】
0005063246.tif 000013